(57)【特許請求の範囲】
【請求項１】
左右横一側部に第１の収納部を有し、反対側の他側部に第２の収納部を有する絶縁樹脂製のボディと、
前部には前方向に突出したプッシュ操作部を設け、後部横一側面には突起状の第１の駆動カム部を設け、上記プッシュ操作部が上記ボディの前面に突出され、上記第１の駆動カム部が上記第２の収納部に突出されて、後部が上記第１の収納部に前後方向にスライド移動可能に装着され、上記プッシュ操作部に前方向から加えられる第１の操作力により後方向にプッシュ操作可能な第１の操作部としてのスライダと、
そのスライダを前方向に付勢するスライダ復帰バネと、
上部には上方向に突出したレバー操作部を設け、下部には突起状の第２の駆動カム部を設け、上記レバー操作部が上記ボディの上面に突出され、上記第２の駆動カム部が上記第２の収納部の上記第１の駆動カム部よりも外側に突出されて、上記レバー操作部と上記第２の駆動カム部との間が上記第２の収納部の後部に左右方向を軸方向とする支軸を中心として回動可能に軸支され、上記レバー操作部と上記第２の駆動カム部とが前後方向で逆方向に上記支軸を中心として所定角度だけ回動可能であって、上記レバー操作部に後方向から加えられる第２の操作力により上記レバー操作部が前方向に回動し上記第２の駆動カム部が後方向に回動する第１の方向に回動操作可能な第２の操作部としてのレバーと、
そのレバーを上記第１の方向とは逆に上記レバー操作部が後方向に回動し上記第２の駆動カム部が前方向に回動する第２の方向に付勢するレバー復帰バネと、
上記第２の収納部の前部に前後方向にスライド移動可能に装着され、上記第１の駆動カム部と対向しその第１の駆動カム部が当接する第１の当接部と上記第２の駆動カム部と対向しその第２の駆動カム部が当接する第２の当接部とが設けられた絶縁樹脂製の作動部材と、
その作動部材を後方向に付勢する作動部材付勢バネと、
一対の可動接点を有しその一対の可動接点が上記ボディを押圧しながら摺動するように、上記作動部材に取り付けられその作動部材と共に移動する導電金属製の可動接片と、
その可動接片とでスイッチ部を構成するものであって、上記作動部材がその前方向の移動終端位置と後方向の移動終端位置のうち、一方の移動終端位置にあるとき、上記一対の可動接点がそれぞれ接触して上記可動接片により導通され、上記スイッチ部がオンとなり、他方の移動終端位置にあるとき、上記一対の可動接点がそれぞれ離れて上記可動接片による導通が断たれ、上記スイッチ部がオフとなるように、上記ボディの可動接点摺動部に設けられた導電金属製の一対の固定接点と、を備え、
上記スライダ復帰バネと上記レバー復帰バネとは、上記作動部材付勢バネの付勢力よりも大きな付勢力をそれぞれ有しており、
上記プッシュ操作部に前方向から加えられる上記第１の操作力が解除されている上記スライダの自由状態のとき、上記スライダ復帰バネにより前方向に付勢された上記スライダは、上記第１の当接部に当接した上記第１の駆動カム部が上記作動部材を上記作動部材付勢バネの付勢力に抗して前方向の移動終端位置まで押し戻したところで、上記作動部材がそれ以上前方向に移動しないことで、上記スライダ復帰バネの付勢力による前方向への移動が規制されて、その位置に保持され、上記作動部材を上記作動部材付勢バネの付勢力に抗して前方向の移動終端位置に保持し、
上記レバー操作部に後方向から加えられる上記第２の操作力が解除されている上記レバーの自由状態のとき、上記レバー復帰バネにより上記第２の方向に付勢された上記レバーは、上記第２の当接部に当接した上記第２の駆動カム部が上記作動部材を上記作動部材付勢バネの付勢力に抗して前方向の移動終端位置まで押し戻したところで、上記作動部材がそれ以上前方向に移動しないことで、上記レバー復帰バネの付勢力による上記第２の方向への回動が規制されて、その位置に保持され、上記作動部材を上記作動部材付勢バネの付勢力に抗して前方向の移動終端位置に保持し、
上記スライダと上記レバーの一方又は両方が自由状態のとき、上記スイッチ部がオン又はオフとなり、
また、上記プッシュ操作部に前方向から上記第１の操作力が加えられ、上記スライダが上記スライダ復帰バネの付勢力に抗して上記自由状態の位置から後方向にプッシュ操作され、上記第１の当接部に当接した上記第１の駆動カム部が後方向に移動し、上記レバー操作部に後方向から上記第２の操作力が加えられ、上記レバーが上記レバー復帰バネの付勢力に抗して上記自由状態の位置から上記第１の方向に回動操作され、上記第２の当接部に当接した上記第２の駆動カム部が後方向に回動することにより、上記作動部材付勢バネにより後方向に付勢された上記作動部材を前方向の移動終端位置から後方向の移動終端位置へと後方向に移動させ、
上記スライダと上記レバーの両方が操作されたとき、上記スイッチ部のオン／オフが切り換わる
ことを特徴とする２方向操作スイッチ。
【発明の詳細な説明】
【技術分野】
【０００１】
本発明は、主としてパチンコ機の本体枠や前扉枠の開放状態の検出に用いられる２方向操作スイッチに関する。
【背景技術】
【０００２】
遊技機の一種であるパチンコ機には、遊技ホールの島設備に固定される外枠と、外枠に対して開閉可能に取り付けられる本体枠と、本体枠に対して開閉可能に取り付けられる前扉枠とが備えられている。また、本体枠には、遊技に関する制御を行う制御装置と、外枠に対する本体枠の開放状態や本体枠に対する前扉枠の開放状態を検出する開放スイッチとが備えられており、本体枠や前扉枠が開放された場合、それらの開放状態が開放スイッチにより検出され、開放検出信号が制御装置に入力される。
【０００３】
従来、パチンコ機の本体枠や前扉枠の開放状態を検出する開放スイッチには、プッシュスイッチが用いられており、プッシュスイッチは操作部が１つであるため、本体枠用と前扉枠用それぞれに１個ずつ備えられている。
【０００４】
それらプッシュスイッチは、本体枠に取り付けられており、本体枠に対して前扉枠が開放されている場合、本体枠の前面に前扉枠用のプッシュスイッチの操作部がその復帰バネの付勢力により突出され、外枠に対して本体枠が開放されている場合、本体枠の側面に本体枠用のプッシュスイッチの操作部がその復帰バネの付勢力により突出されている。
【０００５】
前扉枠用のプッシュスイッチは、本体枠に対して前扉枠が閉鎖されている場合、前扉枠により操作部がその復帰バネの付勢力に抗して押し込まれ、スイッチ部（接点部）が例えば閉状態となる。そして、本体枠に対して前扉枠が開放されると、操作部がその復帰バネの付勢力により突出し、スイッチ部が閉状態から開状態に切り換えられ、前扉枠の開放状態を検出する。
【０００６】
本体枠用のプッシュスイッチは、外枠に対して本体枠が閉鎖されている場合、外枠により操作部がその復帰バネの付勢力に抗して押し込まれ、スイッチ部（接点部）が例えば閉状態となる。そして、外枠に対して本体枠が開放されると、操作部がその復帰バネの付勢力により突出し、スイッチ部が閉状態から開状態に切り換えられ、本体枠の開放状態を検出する。
【先行技術文献】
【特許文献】
【０００７】
【特許文献１】特開２００８−３０７２０９号公報
【発明の開示】
【発明が解決しようとする課題】
【０００８】
しかしながら、上記のようにパチンコ機の本体枠や前扉枠の開放状態の検出に当たり、スイッチ２個使いは、スペースをかなりとってしまい、また、スイッチ自体のコスト、さらにはスイッチ取り付けやリード線配線のコストが高く付いてしまう。
【０００９】
パチンコ機の本体枠や前扉枠の開放状態の検出には、省スペース化、スイッチ自体のコストダウン、スイッチ取り付けやリード線配線のコストダウンのため、スイッチ１個使いが強く求められている。
【００１０】
また、上記のようにパチンコ機の本体枠や前扉枠の開放状態の検出には、スイッチ１個使いが強く求められているが、例えば２個のプッシュスイッチを、ハウジングなどを一体化し、２つのプッシュ操作部と２つのスイッチ部とを備える１個の複合スイッチ（スイッチ１個使い）としても、省スペース化、スイッチ自体のコストダウン、スイッチ取り付けやリード線配線のコストダウンに対しては、効果が期待できないばかりでなく、逆に、スイッチ２個使いの効果を消失してしまう。
【００１１】
すなわち、スイッチ２個使いでは、本体枠と前扉枠それぞれに１個のプッシュスイッチが備えられるため、本体枠用のスイッチ１個は、前扉枠との位置関係は関係なく、外枠との位置関係だけで取り付けを容易に行うことができ、前扉枠用の他のスイッチ１個は、外枠との位置関係は関係なく、前扉枠との位置関係だけで取り付けを容易に行うことができる。そのため、スイッチ２個使いでは、例えばパチンコ機の機種によって外枠と前扉枠との位置関係が多少変わっても、その外枠と前扉枠との位置関係に関係なく使用することができる。
【００１２】
これに対し、上記のように２個のプッシュスイッチを組み合わせて１個の複合スイッチとしたスイッチ１個使いでは、前扉枠との位置関係と外枠との位置関係の両方を満足させる必要があると共に、前扉枠用の操作部と本体枠用の操作部は、両方ともプッシュスイッチの操作部であって、レバースイッチなどの操作部と比べて動作後の動き（ＯＴ）が小さく、前扉枠との位置関係と外枠との位置関係の両方を精度良く設定する必要があり、取り付けが困難で、また、外枠と前扉枠との位置関係が変わると使用できなくなってしまう。
【００１３】
本発明は、このような問題に鑑みてなされたもので、その目的は、パチンコ機の本体枠や前扉枠の開放状態の検出をスイッチ１個使いで実現し、省スペース化、スイッチ自体のコストダウン、スイッチ取り付けやリード線配線のコストダウンを図ることができ、また、取り付けも容易に行え、さらには、例えばパチンコ機の機種によって外枠と前扉枠との位置関係が多少変わっても使用することができる２方向操作スイッチを提供することにある。
【課題を解決するための手段】
【００１４】
上記課題を解決するため本発明の２方向操作スイッチでは、左右横一側部に第１の収納部を有し、反対側の他側部に第２の収納部を有する絶縁樹脂製のボディと、前部には前方向に突出したプッシュ操作部を設け、後部横一側面には突起状の第１の駆動カム部を設け、上記プッシュ操作部が上記ボディの前面に突出され、上記第１の駆動カム部が上記第２の収納部に突出されて、後部が上記第１の収納部に前後方向にスライド移動可能に装着され、上記プッシュ操作部に前方向から加えられる第１の操作力により後方向にプッシュ操作可能な第１の操作部としてのスライダと、そのスライダを前方向に付勢するスライダ復帰バネと、上部には上方向に突出したレバー操作部を設け、下部には突起状の第２の駆動カム部を設け、上記レバー操作部が上記ボディの上面に突出され、上記第２の駆動カム部が上記第２の収納部の上記第１の駆動カム部よりも外側に突出されて、上記レバー操作部と上記第２の駆動カム部との間が上記第２の収納部の後部に左右方向を軸方向とする支軸を中心として回動可能に軸支され、上記レバー操作部と上記第２の駆動カム部とが前後方向で逆方向に上記支軸を中心として所定角度だけ回動可能であって、上記レバー操作部に後方向から加えられる第２の操作力により上記レバー操作部が前方向に回動し上記第２の駆動カム部が後方向に回動する第１の方向に回動操作可能な第２の操作部としてのレバーと、そのレバーを上記第１の方向とは逆に上記レバー操作部が後方向に回動し上記第２の駆動カム部が前方向に回動する第２の方向に付勢するレバー復帰バネと、上記第２の収納部の前部に前後方向にスライド移動可能に装着され、上記第１の駆動カム部と対向しその第１の駆動カム部が当接する第１の当接部と上記第２の駆動カム部と対向しその第２の駆動カム部が当接する第２の当接部とが設けられた絶縁樹脂製の作動部材と、その作動部材を後方向に付勢する作動部材付勢バネと、一対の可動接点を有しその一対の可動接点が上記ボディを押圧しながら摺動するように、上記作動部材に取り付けられその作動部材と共に移動する導電金属製の可動接片と、その可動接片とでスイッチ部を構成するものであって、上記作動部材がその前方向の移動終端位置と後方向の移動終端位置のうち、一方の移動終端位置にあるとき、上記一対の可動接点がそれぞれ接触して上記可動接片により導通され、上記スイッチ部がオンとなり、他方の移動終端位置にあるとき、上記一対の可動接点がそれぞれ離れて上記可動接片による導通が断たれ、上記スイッチ部がオフとなるように、上記ボディの可動接点摺動部に設けられた導電金属製の一対の固定接点と、を備え、上記スライダ復帰バネと上記レバー復帰バネとは、上記作動部材付勢バネの付勢力よりも大きな付勢力をそれぞれ有しており、上記プッシュ操作部に前方向から加えられる上記第１の操作力が解除されている上記スライダの自由状態のとき、上記スライダ復帰バネにより前方向に付勢された上記スライダは、上記第１の当接部に当接した上記第１の駆動カム部が上記作動部材を上記作動部材付勢バネの付勢力に抗して前方向の移動終端位置まで押し戻したところで、上記作動部材がそれ以上前方向に移動しないことで、上記スライダ復帰バネの付勢力による前方向への移動が規制されて、その位置に保持され、上記作動部材を上記作動部材付勢バネの付勢力に抗して前方向の移動終端位置に保持し、上記レバー操作部に後方向から加えられる上記第２の操作力が解除されている上記レバーの自由状態のとき、上記レバー復帰バネにより上記第２の方向に付勢された上記レバーは、上記第２の当接部に当接した上記第２の駆動カム部が上記作動部材を上記作動部材付勢バネの付勢力に抗して前方向の移動終端位置まで押し戻したところで、上記作動部材がそれ以上前方向に移動しないことで、上記レバー復帰バネの付勢力による上記第２の方向への回動が規制されて、その位置に保持され、上記作動部材を上記作動部材付勢バネの付勢力に抗して前方向の移動終端位置に保持し、上記スライダと上記レバーの一方又は両方が自由状態のとき、上記スイッチ部がオン又はオフとなり、また、上記プッシュ操作部に前方向から上記第１の操作力が加えられ、上記スライダが上記スライダ復帰バネの付勢力に抗して上記自由状態の位置から後方向にプッシュ操作され、上記第１の当接部に当接した上記第１の駆動カム部が後方向に移動し、上記レバー操作部に後方向から上記第２の操作力が加えられ、上記レバーが上記レバー復帰バネの付勢力に抗して上記自由状態の位置から上記第１の方向に回動操作され、上記第２の当接部に当接した上記第２の駆動カム部が後方向に回動することにより、上記作動部材付勢バネにより後方向に付勢された上記作動部材を前方向の移動終端位置から後方向の移動終端位置へと後方向に移動させ、上記スライダと上記レバーの両方が操作されたとき、上記スイッチ部のオン／オフが切り換わる構成とした。
【００１５】
かかる構成において、上記作動部材がその前方向の移動終端位置と後方向の移動終端位置のうち、前方向の移動終端位置にあるとき、上記一対の可動接点がそれぞれ接触し上記可動接片により導通され、上記スイッチ部がオンとなり、後方向の移動終端位置にあるとき、上記一対の可動接点がそれぞれ離れて上記可動接片による導通が断たれ、上記スイッチ部がオフとなるように、上記ボディの可動接点摺動部に上記一対の固定接点が設けられている場合、上記スライダと上記レバーの一方又は両方が自由状態のとき、上記スイッチ部がオンとなり、上記スライダと上記レバーの両方が操作されたとき、上記スイッチ部がオンからオフに切り換わる構成の２方向操作スイッチとなる。
【００１６】
一方、上記作動部材がその前方向の移動終端位置と後方向の移動終端位置のうち、後方向の移動終端位置にあるとき、上記一対の可動接点がそれぞれ接触し上記可動接片により導通され、上記スイッチ部がオンとなり、前方向の移動終端位置にあるとき、上記一対の可動接点がそれぞれ離れて上記可動接片による導通が断たれ、上記スイッチ部がオフとなるように、上記ボディの可動接点摺動部に上記一対の固定接点が設けられている場合、上記スライダと上記レバーの一方又は両方が自由状態のとき、上記スイッチ部がオフとなり、上記スライダと上記レバーの両方が操作されたとき、上記スイッチ部がオフからオンに切り換わる２方向操作スイッチとなる。
【００１７】
また、かかる２方向操作スイッチにおいては、外枠に対して開閉可能に取り付けられた本体枠と、その本体枠に対して開閉可能に取り付けられた前扉枠とが備えられているパチンコ機の上記本体枠に取り付けられ、上記プッシュ操作部が上記本体枠の前面に突出されると共に、上記レバー操作部が上記本体枠の側面に突出され、上記前扉枠の開閉に応じその前扉枠で上記プッシュ操作部に前方向から上記第１の操作力が加えられると共に、その加えられた上記第１の操作力が解除され、上記本体枠の開閉に応じ上記外枠で上記レバー操作部に後方向から上記第２の操作力が加えられると共に、その加えられた上記第２の操作力が解除される。
【００１８】
従って、上記スライダと上記レバーの両方が操作されたとき、上記スイッチ部がオフになる上記２方向操作スイッチの場合、上記前扉枠と上記本体枠の両方が閉鎖されているとき、上記スイッチ部がオフとなり、上記前扉枠と上記本体枠の一方でも開放されると、上記スイッチ部がオフからオンに切り換わるため、上記前扉枠や上記本体枠の開放状態を検出できる。
【００１９】
一方、上記スライダと上記レバーの両方が操作されたとき、上記スイッチ部がオンとなる上記２方向操作スイッチの場合、上記前扉枠と上記本体枠の両方が閉じられているとき、上記スイッチ部がオンとなり、上記前扉枠と上記本体枠の一方でも開放されると、上記スイッチ部がオンからオフに切り換わるため、上記前扉枠や上記本体枠の開放状態を検出できる。
【発明の効果】
【００２０】
本発明の２方向操作スッチによれば、スイッチ１個に２つの操作部を備えると共に、スイッチ部が１つに集約できてスイッチ１個を省スペースかつ安価に構成できるスライダ（プッシュ）とレバー（回動）を２つの操作部として備えることにより、パチンコ機の本体枠や前扉枠の開放状態の検出をスイッチ１個使いで実現できるので、省スペース化、スイッチ自体のコストダウン、スイッチ取り付けやリード線配線のコストダウンを図ることができる。また、スライダ（プッシュ）とレバー（回動）を２つの操作部として備えることにより、スライダ（プッシュ）よりもレバー（回動）の方の動作後の動き（ＯＴ）が大きく、外枠がレバー（回動）を乗り越えることも可能となり、外枠とスイッチ１個との位置関係をラフに設定できるので、スイッチ取り付けも容易に行え、さらには、例えばパチンコ機の機種によって外枠と前扉枠との位置関係が多少変わっても使用することができる。
【図面の簡単な説明】
【００２１】
【図１】本発明の一実施形態にかかる２方向操作スイッチを前右斜め上方向から見た外観斜視図
【図２】２方向操作スイッチを後左斜め下方向から見た外観斜視図
【図３】２方向操作スイッチを上下中間部で横に切断した状態で示す底面図
【図４】２方向操作スイッチを右横一側部で縦に切断した状態で示す右側面図
【図５】２方向操作スイッチを左横一側部で縦に切断した状態で示す左側面図
【図６】（Ａ）２方向操作スイッチをカバーを透明にした状態で示す右側面図（Ｂ）２方向操作スイッチをカバーを透明にした状態で示す左側面図
【図７】２方向操作スイッチの分解斜視図
【図８】（Ａ）ボディを右斜め下方向から見た外観斜視図（Ｂ）ボディを左斜め上方向から見た外観斜視図
【図９】ボディを上下中間部で横に切断した状態で示す底面図
【図１０】（Ａ）ボディをスライダを透明にした状態で示す右側面図（Ｂ）ボディとスイッチ部を作動部材を透明にした状態で示す左側面図
【図１１】カバーを前左斜め上方向から見た外観斜視図
【図１２】（Ａ）スライダの内面側をスライダ復帰バネを付けた状態で斜め後方向から見た外観斜視図（Ｂ）スライダの内面側をスライダ復帰バネを付けた状態で斜め前方向から見た外観斜視図
【図１３】（Ａ）レバーの外面側をレバー復帰バネを付けた状態で斜め後方向から見た外観斜視図（Ｂ）レバーの内面側をレバー復帰バネを付けた状態で斜め後方向から見た外観斜視図
【図１４】（Ａ）作動部材の内面側を作動部材付勢バネ及び可動接片を付けた状態で斜め前方向から見た外観斜視図（Ｂ）作動部材の内面側を作動部材付勢バネ及び可動接片を付けた状態で斜め後方向から見た外観斜視図
【図１５】スライダ操作時における２方向操作スイッチを前右斜め上方向から見た外観斜視図
【図１６】（Ａ）スライダ操作時における２方向操作スイッチの動作状態をカバーを透明にした状態で示す右側面図（Ｂ）スライダ操作時における、２方向操作スイッチの動作状態をカバーを透明にした状態で示す左側面図
【図１７】レバー操作時における２方向操作スイッチを前右斜め上方向から見た外観斜視図
【図１８】（Ａ）レバー操作時における２方向操作スイッチの動作状態をカバーを透明にした状態で示す右側面図（Ｂ）レバー操作時における２方向操作スイッチの動作状態をカバーを透明にした状態で示す左側面図
【図１９】スライダ，レバー共に操作時における２方向操作スイッチを前右斜め上方向から見た外観斜視図
【図２０】（Ａ）スライダ，レバー共に操作時における２方向操作スイッチの動作状態をカバーを透明にした状態で示す右側面図（Ｂ）スライダ，レバー共に操作時における２方向操作スイッチの動作状態をカバーを透明にした状態で示す左側面図
【図２１】２方向操作スイッチの使用状態を示すパチンコ機の主要部分斜視図
【図２２】（Ａ）パチンコ機の前扉枠と本体枠の両方が開放されているときの２方向操作スイッチの状態を示す動作説明図、（Ｂ）パチンコ機の前扉枠と本体枠の両方が閉鎖されているときの２方向操作スイッチの状態を示す動作説明図
【図２３】本発明の他の実施形態にかかる２方向操作スイッチの主要部分説明図
【発明を実施するための形態】
【００２２】
以下、本発明の一実施形態を図面に基づいて説明する。図１は、本発明の一実施形態にかかる２方向操作スイッチ１を前右斜め上方向から見た外観斜視図、図２は、２方向操作スイッチ１を後左斜め下方向から見た外観斜視図、図３は、２方向操作スイッチ１を上下中間部で横に切断した状態で示す底面図、図４は、２方向操作スイッチ１を右横一側部で縦に切断した状態で示す右側面図、図５は、２方向操作スイッチ１を左横一側部で縦に切断した状態で示す左側面図、図６（Ａ）は、２方向操作スイッチ１をカバー３を透明にした状態で示す右側面図、図６（Ｂ）は、２方向操作スイッチ１をカバー３を透明にした状態で示す左側面図、図７は、２方向操作スイッチ１の分解斜視図である。
【００２３】
本実施形態の２方向操作スイッチ１は、プッシュスイッチとレバースイッチを組み合わせた複合スイッチである。プッシュスイッチとレバースイッチとの操作部（スライダ４，レバー６）はそれぞれ独立し、それら各スイッチの接点部（スイッチ部１０，１１ａ，１２ａ）は同じである。
【００２４】
図１〜図７に示すように、このような２方向操作スイッチ１は、外形が直方体状のスイッチ本体の内郭部を形成するボディ２と、スイッチ本体の外郭部を形成するカバー３と、プッシュスイッチの操作部であるスライダ４と、スライダ復帰バネ（コイルバネ）５と、レバースイッチの操作部であるレバー６と、レバー復帰バネ（捻りコイルバネ）７と、可動接片移動用スライダである作動部材８と、作動部材付勢バネ（コイルバネ）９と、可動接片１０と、プッシュスイッチとレバースイッチに共通のスイッチ部（接点部）を可動接片１０とで構成する一対の固定接点１１ａ，１２ａとで構成されている。
【００２５】
まず、ボディ２について、図８〜図１０を参照して説明する。
【００２６】
図８（Ａ）は、ボディ２を右斜め下方向から見た外観斜視図、図８（Ｂ）は、ボディ２を左斜め上方向から見た外観斜視図、図９は、ボディ２を上下中間部で横に切断した状態で示す底面図、図１０（Ａ）は、ボディ２をスライダ４を透明にした状態で示す右側面図、図１０（Ｂ）は、ボディ２とスイッチ部１０，１１ａ，１２ａを作動部材８を透明にした状態で示す左側面図である。
【００２７】
図８〜図１０に示すように、ボディ２は、絶縁性の合成樹脂で、右横一側部に右側面開口で、凹状の第１の収納部２ａを有し、左横一側部に左側面開口で、凹状の第２の収納部を有し、それら第１，第２の収納部２ａ，２ｂとの間に中央壁２ｃを有して、外形が直方体状に形成されている。第１の収納部２ａの右側面開口は、ボディ２の右側面と同一平面内にあり、第２の収納部２ｂの左側面開口は、ボディ２の左側面と同一平面内にある。また、中央壁２ｃには、前後方向を長手方向とする矩形の長孔２ｄが形成され、その長孔２ｄによって第１の収納部２ａと第２の収納部２ｂとが互いに連通されている。
【００２８】
図８（Ａ），図９，図１０（Ａ）に示すように、第１の収納部２ａは、前後方向を長手方向とする矩形に形成されており、その第１の収納部２ａの周囲にある側壁のうち、第１の収納部２ａの前側にある側壁には、コ字形の第１の溝部２ｅが設けられ、その第１の溝部２ｅによって第１の収納部２ａがボディ２の前面に開口されている。また、第１の収納部２ａの後側にある側壁には、第１の溝部２ｅに対向してＵ字形のバネ受け溝２ｆが設けられ、そのバネ受け溝２ｆによって第１の収納部２ａがボディ２の後面に開口されている。第１の溝部２ｅのコ字形の開口とバネ受け溝２ｆのＵ字形の開口は、それぞれ、ボディ２の右側面と同一平面内にある。
【００２９】
図８（Ｂ），図９，図１０（Ｂ）に示すように、第２の収納部２ｂは、Ｌ形に形成されており、第１の収納部２ａに対応してその裏側に配置される主要部分（前後方向を長手方向とする矩形に形成された部分）と、その主要部分の後部から立ち上がり、上部がボディ２の上面から上方向に張り出して設けられた立ち上り部分とを有し、主要部分と第１の収納部２ａとの間にある中央壁２ｃの中央部に長孔２ｄが設けられている。また、立ち上り部分の上部には、左右方向を軸方向とする支軸２ｇが中央壁２ｃから垂直に突出して設けられている。また、第２の収納部２ｂの周囲にある側壁のうち、立ち上り部分の上側にある側壁には、コ字形の第２の溝部２ｈが設けられ、その第２の溝部２ｈによって立ち上り部分がボディ２の上面に開放されている。第２の溝部２ｈは、支軸２ｇの上側に後端が位置し、支軸２ｇの前側に前端が位置するように、円弧状に曲げられて設けられている。また、主要部分と立ち上り部分の後側にある側壁内面には、支軸２ｇから見て後斜め下方向の位置に対応してバネ当接部２ｉが設けられている。バネ当接部２ｉは、第２の収納部２ｂの後側にある側壁の全横幅にわたって水平に張り出して設けられたリブである。また、主要部分の前側にある側壁内面には、Ｕ字形のバネ受け溝２ｊが設けられている。支軸２ｇの先端面と第２の溝部２ｈのコ字形の開口とバネ受け溝２ｊのＵ字形の開口は、それぞれ、ボディ２の左側面と同一平面内にある。
【００３０】
第２の収納部２ｂにおいて、立ち上り部分の前端に対応する主要部分の前後中間部には、主要部分の前側にある側壁と対向し、後側にある側壁にも対向して、主要部分を前部と後部とに区画するような、板状の作動部材当接部２ｋが中央壁２ｃから垂直に突出して設けられている。その作動部材当接部２ｋよりも前側と後側にある中央壁２ｃの前部と後部（主要部分において作動部材当接部２ｋより区画された前部と後部）とに跨がって長孔２ｄが設けられている。作動部材当接部２ｋは、主要部分の前部と後部とを長孔２ｄに対応する部分で連通させるように、長孔２ｄに対応する部分を避けてそれよりも上側にある中央壁２ｃの上部と下側にある中央壁２ｃの下部とに分けられて設けられている。また、作動部材当接部２ｋの中央壁２ｃからの突出量は、第２の収納部２ｂの奥行きよりも十分に小さくしており、主要部分の前部と後部とは、作動部材当接部２ｋの先端よりも外側の部分において互いに障害なく連通されている。
【００３１】
図８，図１０に示すように、ボディ２の上面と下面には、爪状の第１の係合部２ｍが突出して設けられている。ボディ２の上面では、その前後中央部の右端部に片寄せられて１つの第１の係合部２ｍが設けられ、ボディ２の下面では、その前部に左右横に並べられて２つの第１の係合部２ｍが設けられている。それら第１の係合部２ｍの後面には、それぞれ、カバー３の乗り越え用にテーパが付けられている。また、ボディ２の上面の前部でそこの左右両側部には、前後方向に平行したレール状の第２の係合部２ｎが突出して設けられている。右側の第２の係合部２ｎは、ボディ２の上面から突出して設けられる。右側の第２の係合部２ｎの外側面とボディ２の上面に設けられた第１の係合部２ｍの外側面は、それぞれ、ボディ２の右側面と同一平面内にある。左側の第２の係合部２ｎは、ボディ２の左側面の前部でそこの上部から外側に張り出した付け根部を有し、ボディ２の左側面よりも外側で立ち上げられている。
【００３２】
図９，図１０（Ｂ）に示すように、ボディ２には、第２の収納部２ｂの内奥側面（中央壁２ｃの第２の収納部２ｂ側の壁面）であって、その前端の上下角部に、それぞれ導電性の金属薄板で矩形に形成された一対の固定接点１１ａ，１２ａが設けられている。その一対の固定接点１１ａ，１２ａは、それぞれの一表面を第２の収納部２ｂの内奥側面に面一に露出した状態で設けられている。
【００３３】
ボディ２は、それぞれ導電性の金属薄板で形成された細長い一対の端子１１，１２をインサート成形している。その一対の端子１１，１２は、それぞれ、ボディ２の左右横幅方向に厚み方向を一致させた状態で上下に配置されて中央壁２ｃの中に埋設され、そこで前後方向に延設されている。またその際、長孔２ｄを避けるように、それよりも上側と下側にある中央壁２ｃの上部と下部の中で前後方向に延設されている。その一対の端子１１，１２のそれぞれの前端部によって一対の固定接点１１ａ，１２ａが形成されている。また、一対の端子１１，１２の後端部は、それぞれ、ボディ２の後面から平行に突出して一対の固定接点１１ａ，１２ａと導通のある一対の外部接続端子１１ｂ，１２ｂを形成している。
【００３４】
次に、カバー３について図１〜図５，図７，図１１を参照して説明する。図１１は、カバーを前左斜め上方向から見た外観斜視図である。
【００３５】
図７，図１１に示すように、カバー３は、絶縁性の合成樹脂で、前面と上面左側部とが開口され、前面開口を通してボディ２がその後端から内部に嵌め込み可能に、箱型に形成されている。
【００３６】
図１〜図５に示すように、カバー３は、ボディ２との嵌合によって、ボディ２の前面と上面左側部（第２の収納部２ｂ側）とを除く、ボディ２の後面，上面右側部（第１の収納部２ａ側），下面，左右側面を覆い、ボディ２の右側面を覆うカバー３の右側壁によって、第１の収納部２ａの右側面開口と第１の溝部２ｅのコ字形の開口とバネ受け溝２ｆのＵ字形の開口とを一体的に閉鎖し、また、ボディ２の左側面を覆うカバー３の右側壁によって、第２の収納部２ｂの左側面開口と第２の溝部２ｈのコ字形の開口とバネ受け溝２ｊのＵ字形の開口とを一体的に閉鎖している。
【００３７】
図１〜図５，図７，図１１に示すように、ボディ２の上面右側部を覆うカバー３の上面板とボディ２の下面を覆うカバー３の下面板には、カバー３とボディ２との完全嵌合時に、各第１の係合部２ｍと対向する位置に配置され、対向した第１の係合部２ｍを嵌め込み可能に、孔状の第１の係合部３ａが設けられている。カバー３とボディ２との完全嵌合時に、各第１の係合部２ｍと各第１の係合部３ａとが、それぞれ、嵌合することよって、カバー３からのボディ２の抜け止めが行われ、両者が結合固定される。また、カバー３の上面板の前部とカバー３の左側壁の前部でそこの上部には、ボディ２のカバー３の内部への嵌め込みに伴って各第２の係合部２ｎを嵌め込み可能に、下方向に開口したコ字形の第２の係合部３ｂが設けられている。カバー３とボディ２との完全嵌合時に、各第２の係合部２ｎと各第２の係合部３ｂとが、それぞれ、完全嵌合することによって、カバー３の右側壁と左側壁とがカバー３の前面側（正面側）から見て上下逆のハの字状に横開きするのを防止し、ボディ２の右側面にカバー３の右側壁内面を、また、ボディ２の左側面にカバー３の左側壁内面を、それぞれ、密着保持できるようにしている。
【００３８】
ボディ２の後面を覆うカバー３の後壁の内面には、カバー３とボディ２との嵌合時に、バネ受け溝２ｆのＵ字形の閉鎖端部と対向する位置から丸棒状のバネガイド３ｃが垂直に突出して設けられている。バネガイド３ｃは、ボディ２のカバー３の内部への嵌め込みに伴って、バネ受け溝２ｆのＵ字形の閉鎖端部に挿通されて第１の収納溝２ａの前部に挿入され、カバー３とボディ２との完全嵌合時に、第１の収納溝２ａの前部に突出して配置される。バネガイド３ｃの付け根部は、バネガイド３ｃと同軸でバネガイド３ｃより一回り太い短丸棒状のバネ座３ｄに形成されている。バネ座３ｄは、カバー３とボディ２との完全嵌合時に、バネ受け溝２ｆのＵ字形の閉鎖端部に嵌合され、バネガイド３ｃとの段差面を第１の収納溝２ａの後側にある側壁内面よりも１段凹んだ位置に配置し、そのバネガイド３ｃとの段差面をバネ座面としている。
【００３９】
カバー３の後壁には、カバー３とボディ２との嵌合時に、一対の外部接続端子１１ｂ，１２ｂと対向する位置に一対の端子引き出し孔３ｅ，３ｆが設けられている。一対の端子引き出し孔３ｅ，３ｆには、ボディ２のカバー３の内部への嵌め込みに伴って、一対の外部接続端子１１ｂ，１２ｂが挿入され、カバー３とボディ２との完全嵌合時に、一対の端子引き出し孔３ｅ，３ｆを挿通して一対の外部接続端子１１ｂ，１２ｂがカバー３の後面（２方向操作スイッチ１のスイッチ本体の後面）から水平に突出される。一対の端子引き出し孔３ｅ，３ｆは、それぞれ、端子挿入方向に沿って先細りの錐形に形成されている。また、カバー３の後面から突出した一対の外部接続端子１１ｂ，１２ｂを保護する端子カバー３ｇが、カバー３の後面から一対の外部接続端子１１ｂ，１２ｂの周囲に突出して設けられている。また、カバー３の右側面（２方向操作スイッチ１のスイッチ本体の右側面）の略中央部とカバー３の左側面（２方向操作スイッチ１のスイッチ本体の左側面）の略中央部には、それぞれ、中央にビス孔３ｈを有する板状の取り付け座３ｉが水平に張り出して設けられている。各取り付け座３ｉの付け根部は、カバー３の左右側面の全長にわってリブ状に張り出して設けられている。
【００４０】
次に、スライダ４について、図１，図３，図４，図６（Ａ），図１２（Ａ），図１２（Ｂ）を参照して説明する。図１２（Ａ）は、スライダ４の内面側をスライダ復帰バネ５を付けた状態で斜め後方向から見た外観斜視図、図１２（Ｂ）は、スライダ４の内面側をスライダ復帰バネ５を付けた状態で斜め前方向から見た外観斜視図である。
【００４１】
図１２（Ａ），図１２（Ｂ）に示すように、スライダ４は、絶縁性の合成樹脂で、前後方向を長手方向（軸方向）とし、前後中間部に段差面を有し、前部が後部に比べて細くなっている角棒状に形成されており、スライダ４の太い角棒状の後部がスライダ本体部４ａとなり、スライダ４の細い角棒状の前部によってスライダ本体部４ａの前端面から前方向に突出したプッシュ操作部４ｂが形成されている。また、スライダ本体部４ａの左側面（中央壁２ｃと対向する内側面）の中央部には、角ボス状の第１の駆動カム部４ｃが垂直に突出して形成されている。こうして、スライダ４は、前部に前方向に突出したプッシュ操作部４ｂを設け、後部横一側面に突起状の第１の駆動カム部４ｃを設けている。
【００４２】
スライダ本体４ａの左側面と右側面（内側面と外側面）の上部と下部には、それぞれ、前後方向に平行した帯状の摺接部４ｄが僅かな突出量で突出して設けられている。また、スライダ４を前面側（正面側）から見てスライダ本体４ａとプッシュ操作部４ｂとの段差面がコ字形となるように、プッシュ操作部４ｂは、スライダ本体部４ａの前端面の外側に片寄せられた位置から前方向に突出して設けられており、スライダ本体部４ａの右側面中央部とプッシュ操作部４ｂの右側面は、同一平面内にある。また、スライダ本体部４ａの内部には、スライダ本体４ａの後端面で開口された有底円筒状のバネ収納部４ｅが設けられている。バネ収納部４ｅには、コイルバネからなるスライダ復帰バネ５の前部が伸縮可能に挿入収納される。バネ収納部４ｅは、スライダ本体部４ａと同軸上に設けられており、スライダ復帰バネ５は、バネ収納部４ｅによってスライダ本体部４ａと略同軸上に配置されている。
【００４３】
図１，図３，図４，図６（Ａ）に示すように、２方向操作スイッチ１の組み立て状態において、スライダ４は、プッシュ操作部４ｂをボディ２の前面（２方向操作スイッチ１のスイッチ本体の前面）に前後方向に進退可能に突出させ、第１の駆動カム部４ｃを第２の収納部２ｂに前後方向にスライド移動可能に突出させるように、第１の溝部２ｅに前後方向に摺動可能にプッシュ操作部４ｂが挿通され、長孔２ｄに前後方向に摺動自在に第１の駆動カム部４ｃが挿通されて、スライダ本体４ａが第１の収納部２ａに前後方向にスライド移動（摺動）可能に収納配置され、ボディ２に対して前後方向にスライド移動可能に組み付けられている。スライダ４の前方向の動作限界位置は、第１の収納部２ａの前側にある側壁（ボディ２）にスライダ本体４ａの前端面（スライダ本体４ａとプッシュ操作部４ｂとの段差面）が突き当たる位置であり、このとき、プッシュ操作部４ｂのボディ２の前面からの突出量は最大となり、第１の駆動カム部４ｃは長孔２ｄの前端部から第２の収納部２ｂにおける作動部材当接部２ｋよりも前側にある主要部分の前部に突出される。スライダ４の後方向の動作限界位置は、第１の収納部２ａの後側にある側壁（ボディ２）にスライダ本体４ａの後端面が突き当たる位置であり、このとき、プッシュ操作部４ｂのボディ２の前面からの突出量は最小となり又はプッシュ操作部４ｂの前端面がボディ２の前面と一致し、第１の駆動カム部４ｃは長孔２ｄの後端部から第２の収納部２ｂにおける作動部材当接部２ｋよりも後側にある主要部分の後部に突出される。スライダ４は、上下の作動部材当接部２ｋの間を第１駆動カム部４ｃが通過することにより、前方向の動作限界位置と後方向の動作限界位置との間でスライド移動できるようになっている。こうして、スライダ４は、プッシュ操作部４ｂがボディ２の前面に突出され、第１の駆動カム部４ｃが第２の収納部２ｂに突出されて、後部が第１の収納部２ａに前後方向にスライド移動可能に装着され、プッシュ操作部４ｂに前方向から加えられる第１の操作力Ｆ１により後方向にプッシュ操作可能とされている。
【００４４】
図３，図４，図６（Ａ）に示すように、２方向操作スイッチ１の組み立て状態において、スライダ復帰バネ５は、バネ収納部４ｅの閉鎖端面に前端が当接され、バネガイド３ｃの外側に後部が遊嵌されて、後端がバネ座３ｄのバネ座面に当接され、スライダ４と第１の収納部２ａの後側にある側壁（ボディ２）との間に配置され、スライダ４を、前方向の動作限界位置と後方向の動作限界位置との間でスライド移動可能に、前方向に付勢している。
【００４５】
スライダ４とスライダ復帰バネ５とは、カバー３の内部に嵌め込む前のボディ２に組み付けた後、カバー３の内部にボディ２を嵌め込むことにより、２方向操作スイッチ１の組み立て状態でボディ２に組み付けられる。カバー３の内部に嵌め込む前のボディ２は、ボディ２の右側面と同一平面内で、第１の収納部２ａの右側面と第１の溝部２ｅのコ字形とバネ受け溝２ｆのＵ字形とが、それぞれ、開口されているので、スライダ４のバネ収納部４ｅにスライダ復帰バネ５の前部を挿入収納した状態で、ボディ２の右横一側方からスライダ４とスライダ復帰バネ５は容易に組み付けることができる。その後、カバー３の内部にボディ２を嵌め込むだけで、スライダ４とスライダ復帰バネ５は２方向操作スイッチ１の組み立て状態でボディ２に組み付けられるので、２方向操作スイッチ１の組み立が容易となる。２方向操作スイッチ１の組み立て状態においては、カバー３の右側壁は横開きが防止され、ボディ２の右側面に密着保持されているので、スライダ４のガタ付きを防止でき、スムースなスイッチ動作を実現し、２方向操作スイッチ１の信頼性が高くなる。
【００４６】
次に、レバー６について、図１，図３，図５，図６（Ｂ），図１３（Ａ），図１３（Ｂ）を参照して説明する。図１３（Ａ）は、レバー６の外面側をレバー復帰バネ７を付けた状態で斜め後方向から見た外観斜視図、図１３（Ｂ）は、レバー６の内面側をレバー復帰バネ７を付けた状態で斜め後方向から見た外観斜視図である。
【００４７】
図１３（Ａ），図１３（Ｂ）に示すように、レバー６は、絶縁性の合成樹脂で、左右方向を軸方向とする円形の内筒部、円形のギャップ、円形の外筒部で２重構造に形成され、中央に円筒形状の孔（内筒部の内径）６ａが設けられたボス部６ｂを有し、そのボス部６ｂの外筒部の上部中央から角棒状のレバー操作部６ｃが真上方向に突出されてレバー状に形成されている。また、ボス部６ａの下部には、アーム状の第２の駆動カム部６ｄが下方向に突出して形成されている。第２の駆動カム部６ｄは、斜め前方向に突出するように、ボス部６ａの下部から緩い傾きを持って下方向に突出している。こうして、レバー６は、上下中間部に左右方向を軸方向とする孔６ａを設け、上部に上方向に突出したレバー操作部６ｃを設け、下部に突起状の第２の駆動カム部６ｄを設けている。
【００４８】
ボス部６ｂは、円環状の端板を有しており、その端板によってギャップの外側の端が閉鎖され、端板の内縁（内径）から内側に向かって垂直に内筒部が突出され、端板の外縁（外径）から内側に向かって垂直に外筒部が突出されている。レバー操作部６ｃの外側面と第２の駆動カム部６ｄの外側面とは、それぞれ、ボス部６ｂの端板の外側面と同一平面内にあり、レバー６の外側面は、孔６ａの軸方向と垂直な平坦面に形成されている。
【００４９】
ボス部６ｂの外筒部の下部には、切り欠き部６ｅが設けられ、第２の駆動カム部６ｄの後面には、小さい突起状のバネ脚係止部６ｆが設けられている。ボス部６ｂには、捻りコイルバネからなるレバー復帰バネ７が取り付けられている。ボス部６ｂの内筒部の外側にレバー復帰バネ７のコイル部が遊嵌され、ボス部６ｂのギャップに、レバー復帰バネ７のコイル部が収納されている。レバー復帰バネ７の一方のバネ脚部は、コイル部の外側端部の前側から切り欠き部６ｅを通して下方向に延出され、第２の駆動カム部６ｄの基部の後面に当接されると共に、先端部がバネ脚係止部６ｆの外側に掛け止められている。レバー復帰バネ７の他方のバネ脚部は、コイル部の内側端部の後側から外筒部よりも内側で下方向に延出されている。
【００５０】
図１，図３，図５，図６（Ａ）に示すように、２方向操作スイッチ１の組み立て状態において、レバー６は、レバー操作部６ｃをボデイ２の上面（２方向操作スイッチ１のスイッチ本体の上面）に支軸２ｇを中心として前後方向に回動可能に突出させ、第２の駆動カム部６ｄを第２の収納部２ｂの第１の駆動カム部４ｃよりも外側であって、作動部材当接部２ｋの先端よりも外側で、支軸２ｇを中心としてレバー操作部６ｃとは逆方向で前後方向に回動可能に突出させるように、第２の溝部２ｈにレバー操作部６ｃが挿通され、支軸２ｇに孔６ａを介してボス部６ｂが回転可能に軸支され、第２の収納部２ｂの立ち上がり部分の上部にボス部６ｂが収納配置され、第２の駆動カム部６ｄが第２の収納部２ｂの立ち上がり部分からの主要部分に突出して収納配置され、ボディ２に対して支軸２ｇを中心として前後方向に回転可能に組み付けられている。支軸２ｇを中心としてレバー操作部６ｃが前方向に回動し、支軸２ｇを中心として第２の駆動カム部６ｄが後方向に回動するレバー６の図６（Ｂ）の実線矢印に示す第１の方向ａ（時計回り方向）の動作限界位置は、支軸２ｇの前側にある第２の溝部２ｈの前端（ボディ２）でレバー操作部６ｃの前面が当接する位置であり、このとき、レバー操作部６ｃはボディ２の上面に倒伏して突出され、第２の駆動カム部６ｄは、第２の収納部２ｂにおける作動部材当接部２ｋよりも後側にある主要部分の後部に突出される。支軸２ｇを中心としてレバー操作部６ｃが後方向に回動し、支軸２ｇを中心として第２の駆動カム部６ｄが前方向に回動するレバー６の図６（Ｂ）の破線矢印に示す第２の方向ｂ（反時計回り方向）の動作限界位置は、支軸２ｇの真上位置にある第２の溝部２ｈの後端（ボディ２）にレバー操作部６の後面が当接する位置であり、このとき、レバー操作部６ｃはボディ２の上面に垂直に起立して突出され、第２の駆動カム部６ｄは、第２の収納部２ｂにおける作動部材当接部２ｋよりも前側にある主要部分の前部に突出される。レバー６は、第２の収納部２ｂの第１の駆動カム部４ｃよりも外側であって、作動部材当接部２ｋの先端よりも外側を第２の駆動カム部６ｄが通過することにより、第１の方向ａの動作限界位置と第２の方向ｂの動作限界位置との間で回動できるようになっている。こうして、レバー６は、レバー操作部６ｃがボディ２の上面に突出され、第２の駆動カム部６ｄが第２の収納部２ｂの第１の駆動カム部４ｃよりも外側に突出されて、レバー操作部６ｃと第２の駆動カム部６ｄとの間が第２の収納部２ｂの後部に左右方向を軸方向とする支軸２ｇを中心として回動可能に軸支され、レバー操作部６ｃと第２の駆動カム部６ｄとが前後方向で逆方向に支軸２ｇを中心として所定角度（略６０度）だけ回動可能であって、レバー操作部６ｃに後方向から加えられる第２の操作力Ｆ２によりレバー操作部６ｃが前方向に回動し第２の駆動カム部６ｄが後方向に回動する第１の方向ａに回動操作可能とされている。
【００５１】
図３，図５，図６（Ｂ）に示すように、２方向操作スイッチ１の組み立て状態において、レバー復帰バネ７は、コイル部が支軸２ｇの外側に遊嵌され、一方のバネ脚部が第２の駆動カム部６ｄの基部の後面に当接され、他方のバネ脚部がバネ当接部２ｉに当接されて、レバー６と第２の収納部２ｂの主要部分と立ち上がり部分の後側にある側壁（ボディ２）との間に配置され、レバー６を、第１の方向ａの動作限界位置と第２の方向ｂの動作限界位置との間で回動可能に、第２の方向ｂに付勢している。
【００５２】
レバー６とレバー復帰バネ７とは、カバー３の内部に嵌め込む前のボディ２に組み付けた後、カバー３の内部にボディ２を嵌め込むことにより、２方向操作スイッチ１の組み立て状態でボディ２に組み付けられる。カバー３の内部に嵌め込む前のボディ２は、ボディ２の左側面と同一平面内で、第２の収納部２ｂの左側面と第２の溝部２ｈのコ字形とが、それぞれ、開口されているので、レバー３にレバー復帰バネ７を取り付けた状態で、ボディ２の左横一側方からレバー６とレバー復帰バネ７は容易に組み付けることができる。その後、カバー３の内部にボディ２を嵌め込むだけで、レバー６とレバー復帰バネ７は２方向操作スイッチ１の組み立て状態でボディ２に組み付けられるので、２方向操作スイッチ１の組み立が容易となる。２方向操作スイッチ１の組み立て状態においては、カバー３の左側壁は横開きが防止され、ボディ２の左側面に密着保持されているので、レバー６のガタ付きを防止でき、スムースなスイッチ動作を実現し、２方向操作スイッチ１の信頼性が高くなる。
【００５３】
次に、作動部材８及び可動接片１０について、図３，図５，図６（Ｂ），図１０，図１４（Ａ），図１４（Ｂ）を参照して説明する。図１４（Ａ）は、作動部材８の内面側を作動部材付勢バネ９及び可動接片１０を付けた状態で斜め前方向から見た外観斜視図であり、図１４（Ｂ）は、作動部材８の内面側を作動部材付勢バネ９及び可動接片１０を付けた状態で斜め後方向から見た外観斜視図である。
【００５４】
図１４（Ａ），図１４（Ｂ）に示すように、作動部材８は、絶縁性の合成樹脂で、直方体状に形成されている。作動部材８の左側面と右側面（外側面と内側面）のそれぞれの上部と下部には、前後方向に平行した帯状の摺接部８ａが所定の突出量で突出して設けられている。作動部材８の左側面に設けられた摺接部８ａよりも右側面に設けられた摺接部８ａの方が突出量が大きく、作動部材８の左側面に設けられた摺接部８ａの突出量は僅かである。また、作動部材８の後端面には、そこに低い段差を付けるため矩形状の凸部８ｂが後方向に突出して設けられている。作動部材８を後面側（背面側）から見て作動部材８の本体部分と凸部８ｂとの段差面がコ字形となるように、凸部８ａは、作動部材８の本体部分の後端面の外側に片寄せられた位置から後方向に突出して設けられており、作動部材８の本体部分の左側面中央部と凸部８ａの左側面とは、同一平面内にある。作動部材８には、コ字形の段差面の一部（凸部８ａの内側部分）によって形成された第１の当接部８ｃと、凸部８ａの先端面によって形成された第２の当接部８ｄとが設けられている。
【００５５】
作動部材８の内部には、その前端面で開口された有底円筒状のバネ収納部８ｅが設けられている。バネ収納部８ｅにコイルバネからなる作動部材復帰バネ９の後部が伸縮可能に挿入収納されている。バネ収納部８ｅは、作動部材本体部分と同軸上に設けられており、作動部材復帰バネ９は、バネ収納部８ｅによって作動部材本体部分と略同軸上に配置されている。
【００５６】
作動部材８の右側面中央には、そこの上部と下部にある摺接部８ａの後端部同士が突条８ｆによりつながれて形成された凹状の可動接片収納部８ｇが設けられている。突条８ｆは、摺接部８ａよりも僅かに低背に設けられている。可動接片収納部８ｇは、その上側と下側にある摺接部８ａと後側にある突条８ｆにより３方向が囲われて前側に開放されている。さらに、可動接片収納部８ｇの後部の中央部と上下両端部の３箇所には、それぞれ、可動接片１０の固定ピン８ｈが可動接片収納部８ｇの内奥側面から突出して設けられている。
【００５７】
図１４（Ａ），図１４（Ｂ）に示すように、可動接片１０は、導電性の金属薄板で、可動接片収納部８ｇの後部に収納配置され、その上側と下側にある摺接部８ａの間に設けられる基部１０ａと、その基部１０ａの上下両端部から前方向に延出された片持ち梁状の板バネからなる一対のバネ接片１０ｂ，１０ｃとを有し、後方向に開口したコ字形に形成されている。基部１０ａの中央部と上下両端部の３箇所には、各固定ピン８ｈが、それぞれ、挿通可能な図示しない取り付け孔が設けられている。一対のバネ接片１０ｂ，１０ｃには、先（前方向）に行くに連れて可動接片収納部８ｇの内奥側面との間隔が漸次大きくなるように、傾斜角が付けられていると共に、一対のバネ接片１０ｂ，１０ｃの先端部には、それぞれ、作動部材８の右側方向に山状に張り出す可動接点１０ｄ，１０ｅが折り曲げで形成されており、一対の可動接点１０ｄ，１０ｅは、一対のバネ接片１０ｂ，１０ｃの撓み変形により、可動接片収納部８ｇから作動部材８の右側方向に突出する自由位置と、可動接片収納部８ｇに押し込まれる押し込み位置との間で、変位可能に設けられている。
【００５８】
可動接片１０は、各取り付け孔に各固定ピン８ｈを挿通することにより、可動接片収納部８ｇに位置決めされて取り付けられる。可動接片１０の固定は、基部１０ａの表面に突出している各固定ピン８ｈの先端部を溶潰して拡径したピン頭部８ｉに形成することにより、そのピン頭部８ｉによって可動接片収納部８ｇの内奥側面に基部１０ａを密着させた状態で行われる。
【００５９】
図３，図５，図６（Ｂ），図１０に示すように、２方向操作スイッチ１の組み立て状態において、可動接片１０が取り付けられた作動部材８は、第２の収納部２ｂの内奥側面（中央壁２ｃの第２の収納部２ｂ側の壁面）に可動接片収納部８ｇ内奥側面が対向し、第２の収納部２ｂの内奥側面と作動部材８との間に可動接片収納部８ｇを介して可動接片１０を挟み込むように、第２の収納部２ｂにおける作動部材当接部２ｋよりも前側にある主要部分の前部に前後方向にスライド移動（摺動）可能に収納配置され、ボディ２に対して前後方向にスライド移動可能に組み付けられている。これにより、第１の当接部８ｃは、第１の駆動カム部４ｃに対向しその第１の駆動カム部４ｃが当接可能に設けられ、第２の当接部８ｄは、第２の駆動カム部６ｄと対向しその第２の駆動カム部６ｄが当接可能に設けられている。第１の当接部８ｃの上部と下部にある作動部材本体部分と凸部８ｂとの段差面は、作動部材当接部２ｋに対向しその作動部材当接部２ｋが当接可能に設けられている。作動部材８及び可動接片１０の前方向の動作限界位置は、第２の収納部２ｂの主要部分の前側にある側壁（ボディ２）に作動部材８の前端面が突き当たる位置であり、このとき、一対の可動接点１０ｄ，１０ｅは、一対の固定接点１１ａ，１２ａの上に移動して押し付けられて接触し、一対の固定接点１１ａ，１２ａは、可動接片１０により導通される。作動部材８及び可動接片１０の後方向の動作限界位置は、作動部材当接部２ｋに第１の当接部８ｃの上部と下部にある作動部材本体部分と凸部８ｂとの段差面が突き当たる位置であり、このとき、一対の可動接点１０ｄ，１０ｅは、一対の固定接点１１ａ，１２ａから離れ、一対の固定接点１１ａ，１２ａは、可動接片１０による導通が断たれる。こうして、可動接片１０と一対の固定接点１１ａ，１２ａとで、作動部材８がその前方向の移動終端位置と後方向の移動終端位置のうち、前方向の移動終端位置にあるときオンとなり、後方向の移動終端位置にあるときオフとなる、スイッチ部１０，１１ａ，１２ａが構成されている。
【００６０】
図３，図４に示すように、２方向操作スイッチ１の組み立て状態において、作動部材復帰バネ９は、バネ収納部８ｅの閉鎖端面に後端が当接され、前端がバネ受け溝２ｊのＵ字形の閉鎖端部に嵌め込まれて第２の収納部２ｂの主要部分の前側にある側壁に当接され、作動部材８と第２の収納部２ｂの主要部分の前側にある側壁（ボディ２）との間に配置され、作動部材８及び可動接片１０を、前方向の動作限界位置と後方向の動作限界位置との間でスライド移動可能に、後方向に付勢している。
【００６１】
作動部材８と可動接片１０と作動部材復帰バネ９とは、カバー３の内部に嵌め込む前のボディ２に組み付けた後、カバー３の内部にボディ２を嵌め込むことにより、２方向操作スイッチ１の組み立て状態でボディ２に組み付けられる。カバー３の内部に嵌め込む前のボディ２は、ボディ２の左側面と同一平面内で、第２の収納部２ｂの左側面とバネ受け溝２ｊのＵ字形とが、それぞれ、開口されているので、可動接片１０を取り付けた作動部材８のバネ収納部８ｅに作動部材復帰バネ９の後部を挿入収納した状態で、ボディ２の左横一側方から作動部材８と可動接片１０と作動部材復帰バネ９は容易に組み付けることができる。その後、カバー３の内部にボディ２を嵌め込むだけで、作動部材８と可動接片１０と作動部材復帰バネ９は２方向操作スイッチ１の組み立て状態でボディ２に組み付けられるので、２方向操作スイッチ１の組み立が容易となる。２方向操作スイッチ１の組み立て状態においては、カバー３の左側壁は横開きが防止され、ボディ２の左側面に密着保持されているので、作動部材８及び可動接片１０のガタ付きを防止でき、スムースなスイッチ動作を実現し、また、スイッチ部１０，１１ａ，１２ａの接触信頼性も高くなり、２方向操作スイッチ１の信頼性が高くなる。
【００６２】
そして、スライダ復帰バネ５とレバー復帰バネ７とは、作動部材復帰バネ９の付勢力Ａよりも大きな付勢力を、それぞれ、有している。
・スライダ復帰バネ５の付勢力Ｂ＞作動部材復帰バネ９の付勢力Ａ
・レバー復帰バネ７の付勢力Ｃ＞作動部材復帰バネ９の付勢力Ａ
【００６３】
以上の構成において、２方向操作スイッチ１は、ボディ２とカバー３とスライダ４とスライダ復帰バネ５と作動部材８と作動部材復帰バネ９と可動接片１０と一対の固定接点１１ａ，１２ａとで、プッシュスイッチを構成し、また、ボディ２とカバー３とレバー６とレバー復帰バネ７と作動部材８と作動部材復帰バネ９と可動接片１０と一対の固定接点１１ａ，１２ａとで、レバースイッチを構成し、それらプッシュスイッチとレバースイッチを組み合わせた複合スイッチである。プッシュスイッチとレバースイッチとの操作部（スライダ４，レバー６）はそれぞれ独立し、それら各スイッチの接点部（スイッチ部１０，１１ａ，１２ａ）は同じである。
【００６４】
次に、プッシュスイッチとレバースイッチの各単独動作、そして２方向操作スイッチ１の動作について、図１，図６（Ａ），図６（Ｂ），図１５，図１６（Ａ），図１６（Ｂ），図１７，図１７（Ａ），図１７（Ｂ），図１９，図１９（Ａ），図１９（Ｂ）を参照して説明する。図１に、スライダ４とレバー６共に自由状態（無操作時）における２方向操作スイッチ１を前右斜め上方向から見た外観斜視図を示し、図６（Ａ）に、スライダ４，レバー６共に自由状態（無操作時）における２方向操作スイッチ１の動作状態をカバー３を透明にした状態で示し、図６（Ｂ）は、スライダ４，レバー６共に自由状態（無操作時）における２方向操作スイッチ１の動作状態をカバー３を透明にした状態で示している。図１５は、スライダ４操作時における２方向操作スイッチ１を前右斜め上方向から見た外観斜視図、図１６（Ａ）は、スライダ４操作時における２方向操作スイッチ１の動作状態をカバー３を透明にした状態で示す右側面図、図１６（Ｂ）は、スライダ４操作時における２方向操作スイッチ１の動作状態をカバー３を透明にした状態で示す左側面図、図１７は、レバー６操作時における２方向操作スイッチ１を前右斜め上方向から見た外観斜視図、図１８（Ａ）は、レバー６操作時における２方向操作スイッチ１の動作状態をカバー３を透明にした状態で示す右側面図、図１８（Ｂ）は、レバー６操作時における２方向操作スイッチ１の動作状態をカバー３を透明にした状態で示す左側面図、図１９は、スライダ４，レバー６共に操作時における２方向操作スイッチ１を前右斜め上方向から見た外観斜視図、図２０（Ａ）は、スライダ４，レバー６共に操作時における２方向操作スイッチ１の動作状態をカバー３を透明にした状態で示す右側面図、図２０（Ｂ）は、スライダ４，レバー６共に操作時における２方向操作スイッチ１の動作状態をカバー３を透明にした状態で示す左側面図である。
【００６５】
まず、プッシュスイッチ単独での動作を図１，図６（Ａ），図６（Ｂ），図１９，図２０（Ａ），図２０（Ｂ）を参照して説明する。
【００６６】
プッシュ操作部４ｂに前方向から加えられる第１の操作力Ｆ１（Ｆ１≫Ｂ）が解除されているスライダ４の自由状態（無操作時）では、図１，図６（Ａ），図６（Ｂ）に示すように、スライダ復帰バネ５により前方向に付勢されているスライダ４は前方向に移動している。それに伴い、スライダ４に一体に設けられているプッシュ操作部４ｂも前方向に移動しており、ボディ２の前面から突出している。また、スライダ４に一体に設けられている第１の駆動カム部４ｃも前方向に移動しており、作動部材復帰バネ９により後方向に付勢されている作動部材８の第１の当接部８ｃに当接している。ここで、作動部材復帰バネ９の付勢力Ａよりもスライダ復帰バネ５の付勢力Ｂの方が大きいため（Ｂ＞Ａ）、スライダ４は、第１の当接部８ｃに当接した第１の駆動カム部４ｃが作動部材８を作動部材付勢バネ９の付勢力に抗して前方向の動作限界位置まで押し戻したところで、作動部材８がそれ以上前方向に移動しないことで、スライダ復帰バネ５の付勢力Ｂによる前方向への移動が規制されて、その位置（自由状態の位置：自由位置、前方向の動作限界位置より僅かに手前の位置）に保持され、作動部材８を作動部材付勢バネ９の付勢力Ａに抗して前方向の動作限界位置（自由状態の位置：自由位置）に保持し、スイッチ部１０，１１ａ，１２ａをオン状態に保持する（プッシュスイッチ：オン）。
【００６７】
そして、プッシュ操作部４ｂに前方向から第１の操作力Ｆ１が加えられ、スライダ４が図１，図６（Ａ），図６（Ｂ）に示す自由位置から後方向にプッシュ操作されると、スライダ４は、スライダ復帰バネ５の付勢力Ｂに抗してプッシュ操作部４ｂの突出量を減じながら後方向に移動させられ、それに伴い、第１の当接部８ｃに当接している第１の駆動カム部４ｃも後方向に移動させられるため、作動部材８は、作動部材復帰バネ９の付勢力Ａを受けて後方向に移動する。さらにスライダ４がプッシュ操作されると、スライダ４と作動部材８は連動して後方向に移動し、遂に作動部材８は、図２０（Ｂ）に示すように、作動部材当接部２ｋに第１の当接部８ｃの上部と下部にある作動部材本体部分と凸部８ｂとの段差面が作動部材当接部２ｋに突き当たる後方向の動作限界位置まで移動し、それ以上後方向に移動しなくなる。そして、このように作動部材８が前方向の動作限界位置から後方向の動作限界位置に移動する中で、スイッチ部１０，１１ａ，１２ａのオンからオフへの切り換えが行われる（プッシュスイッチ：オフ）。なお、スイッチ部１０，１１ａ，１２ａのオンからオフへの切り換えタイミングは、一対の固定接点１１ａ，１２ａの前後方向の長さを調整することによって任意に設定できる。さらにスライダ４がプッシュ操作されると、作動部材８は既に後方向の動作限界位置に移動しているため、スライダ４は、第１の当接部８ｃから第１の駆動カム部４ｃを離して、スライダ４だけで後方向に移動し、図１９，図２０（Ａ），図２０（Ｂ）に示すように、スライダ本体４ａの後端面が第１の収納部２ａの後側にある側壁に突き当たり、プッシュ操作部４ｂの前端面がボディ２の前面と一致するスライダ４の後方向の動作限界位置まで移動（フルストローク状態）することができる。プッシュ操作部４ｂに前方向から加えられている第１の操作力Ｆ１が解除されると、スライダ４及び作動部材８は、スライダ復帰バネ５の付勢力Ｂにより、それぞれの元の自由位置に移動する。
【００６８】
続いて、レバースイッチ単独での動作を図１，図６（Ａ），図６（Ｂ），図１９，図２０（Ａ），図２０（Ｂ）を参照して説明する。
【００６９】
レバー操作部６ｃに後方向から加えられる第２の操作力Ｆ２（Ｆ２≫Ｃ）が解除されているレバー６の自由状態（無操作時）では、図１，図６（Ａ），図６（Ｂ）に示すように、レバー復帰バネ７により第２の方向ｂに付勢されているレバー６は支軸２ｇを中心として第２の方向ｂに回動（揺動）（傾動）している。それに伴い、レバー６に一体に設けられているレバー操作部６ｃは後方向（第２の方向ｂ）に回動（揺動）（傾動）しており、ボディ２の上面に略垂直に起立して突出している。また、レバー６に一体に設けられている第２の駆動カム部６ｄは前方向（第２の方向ｂ）に回動（揺動）（傾動）しており、作動部材付勢バネ９により後方向に付勢されている作動部材８の第２の当接部８ｄに当接している。ここで、作動部材復帰バネ９の付勢力Ａよりもレバー復帰バネ７の付勢力Ｃの方が大きいため（Ｃ＞Ａ）、レバー６は、第２の当接部８ｄに当接した第２の駆動カム部６ｄが作動部材８を作動部材付勢バネ９の付勢力に抗して前方向の動作限界位置まで押し戻したところで、作動部材８がそれ以上前方向に移動しないことで、レバー復帰バネ６の付勢力Ｃによる第２の方向ｂへの回動が規制されて、その位置（自由状態の位置：自由位置、第２の方向ｂの動作限界位置より僅かに手前の位置）に保持され、作動部材８を作動部材付勢バネ９の付勢力Ａに抗して第１の方向ａの動作限界位置（自由状態の位置：自由位置）に保持し、スイッチ部１０，１１ａ，１２ａをオン状態に保持する（レバースイッチ：オン）。
【００７０】
レバー操作部６ｃに後方向から第２の操作力Ｆ２が加えられ、レバー６が図１，図６（Ａ），図６（Ｂ）に示す自由位置から第１の方向ａに回動（揺動）（傾動）操作されると、レバー６は、レバー復帰バネ７の付勢力Ｃに抗してレバー操作部６ｃを前方向に回動（揺動）（傾動）し上端の高さを減じながら第１の方向ａに回動（揺動）（傾動）させられ、それに伴い、第２の当接部８ｄに当接している第２の駆動カム部６ｄはレバー操作部６ｃとは逆に後方向に回動（揺動）（傾動）させられるため、作動部材８は、作動部材復帰バネ９の付勢力Ａを受けて後方向に移動する。さらにレバー６が回動操作されると、レバー操作部６ｃは前方向に回動させられる一方、第２の駆動カム部６ｄは後方向に回動させられ、その第２の駆動カム部６ｄの動作と連動して作動部材８は後方向に移動し、遂に作動部材８は、図２０（Ｂ）に示すように、作動部材当接部２ｋに第１の当接部８ｃの上部と下部にある作動部材本体部分と凸部８ｂとの段差面が作動部材当接部２ｋに突き当たる後方向の動作限界位置まで移動し、それ以上後方向に移動しなくなる。そして、このように作動部材８が前方向の動作限界位置から後方向の動作限界位置に移動する中で、スイッチ部１０，１１ａ，１２ａのオンからオフへの切り換えが行われる（レバースイッチ：オフ）。なお、スイッチ部１０，１１ａ，１２ａのオンからオフへの切り換えタイミングは、一対の固定接点１１ａ，１２ａの前後方向の長さを調整することによって任意に設定できる。さらにレバー６が回動操作されると、作動部材８は既に後方向の動作限界位置に移動しているため、レバー６は、第２の当接部８ｄから第２の駆動カム部６ｄを離して、レバー６だけで第１の方向ａに回動し、図１９，図２０（Ａ），図２０（Ｂ）に示すように、支軸２ｇの前側にある第２の溝部２ｈの前端にレバー操作部６ｃの前面が当接し、レバー操作部６ｃがボディ２の上面に倒伏して突出するレバー６の第１の方向ａの動作限界位置まで回動（フルストローク状態）することができる。レバー操作部６ｃに後方向から加えられている第２の操作力Ｆ２が解除されると、レバー６及び作動部材８は、レバー復帰バネ７の付勢力Ｃにより、それぞれの元の自由位置に移動する。
【００７１】
続いて、２方向操作スイッチ１の動作について図１，図６（Ａ），図６（Ｂ），図１５，図１６（Ａ），図１６（Ｂ），図１７，図１８（Ａ），図１８（Ｂ），図１９，図２０（Ａ），図２０（Ｂ）を参照して説明する。
【００７２】
２方向操作スイッチ１は、プッシュスイッチとレバースイッチを組み合わせた複合スイッチである。プッシュスイッチとレバースイッチとの操作部（スライダ４，レバー６）はそれぞれ独立し、それら各スイッチの接点部（スイッチ部１０，１１ａ，１２ａ）は同じである。
【００７３】
２方向操作スイッチ１は、図１，図６（Ａ），図６（Ｂ）に示すように、スライダ４とレバー６が共に自由状態（無操作時）では、作動部材８は、スライダ４とレバー６の両方からスライダ復帰バネ５の付勢力Ｂとレバー復帰バネ７の付勢力Ｃの両方を受けて、作動部材付勢バネ９の付勢力Ａに抗して前方向の動作限界位置（自由状態の位置：自由位置）に保持されており、スイッチ部１０，１１ａ，１２ａはオン状態に保持されている（２方向操作スイッチ１：オン）。
【００７４】
従って、作動部材８が前方向の動作限界位置から後方向の動作限界位置へと後方向に移動するのは、図１９，図２０（Ａ），図２０（Ｂ）に示すように、プッシュ操作部４ｂに前方向から第１の操作力Ｆ１が加えられてスライダ４がプッシュ操作され、かつ、レバー操作部６ｃに後方向から第２の操作力Ｆ２が加えられてレバー６が回動操作されたときだけとなり、このときだけ、スイッチ部１０，１１ａ，１２ａのオンからオフへの切り換えが行われる（２方向操作スイッチ１：オフ）。
【００７５】
２方向操作スイッチ１は、図１５，図１６（Ａ），図１６（Ｂ）に示すように、スライダ４だけが操作されたり、図１７，図１８（Ａ），図１８（Ｂ）に示すように、レバー６だけが操作されたりと、一方だけ操作されても、作動部材８はスライダ復帰バネ５の付勢力Ｂ又はレバー復帰バネ７の付勢力Ｃのどちらか一方を受けているため、作動部材付勢バネ９の付勢力Ａに抗して前方向の動作限界位置（自由状態の位置：自由位置）に保持されており、スイッチ部１０，１１ａ，１２ａはオン状態に保持されている（２方向操作スイッチ１：オン）。
【００７６】
次に、２方向操作スイッチ１の使用について、図２１，図２２を参照して説明する。図２１は、２方向操作スイッチ１の使用状態を示すパチンコ機１３の主要部分斜視図、図２２（Ａ）は、パチンコ機１３の前扉枠１６と本体枠１５の両方が開放されているときの２方向操作スイッチ１の状態を示す動作説明図、図２２（Ｂ）は、パチンコ機１３の前扉枠１６と本体枠１５の両方が閉鎖されているときの２方向操作スイッチ１の状態を示す動作説明図である。
【００７７】
図２１において、１３はパチンコ機である。パチンコ機１３は、遊技ホールの島設備に固定されパチンコ機１３の外殻部を形成する外枠１４と、外枠１４に対して開閉可能に取り付けられる本体枠１５と、本体枠１５に対して開閉可能に取り付けられる前扉枠１６とが備えられている。また、本体枠１５には、遊技に関する制御を行う図示しない制御装置と、外枠１４に対する本体枠１５の開放状態や本体枠１４に対する前扉枠１６の開放状態を検出する開放スイッチとが備えられており、本体枠１５や前扉枠１６が開放された場合、それらの開放状態が開放スイッチにより検出され、開放検出信号が制御装置に入力される。
【００７８】
本体枠１５は、外枠１４の一側部に開閉可能に支持されている。その開閉軸線はパチンコ機１３の正面からみて左側に上下へ延びるように設定されており、その開閉軸線を中心として本体枠１５が前方側に開放できるようになっている。前面扉としての前扉枠１６は、本体枠１５の前面側の図示しない前面板を除く範囲に、本体枠１５を覆うようにして設けられている。前面板と前扉枠１６とにより本体枠１５の前面側全体が覆われている。また、前扉枠１６は、本体枠１５に対して開閉可能に取り付けられており、本体枠１５と同様、パチンコ機１３の正面からみて左側に上下に延びる開閉軸線を中心として前方側に開放できるようになっている。
【００７９】
図２１に示すように、２方向操作スイッチ１は、外枠１４に対する本体枠１５の開放状態や本体枠１４に対する前扉枠１６の開放状態を検出する開放スイッチとして、スイッチ１個がパチンコ機１３に取り付けられて使用されるもので、本体枠１５を閉鎖した状態で外枠１４の内側に配置される本体枠１５の背面側の部分であって、その例えば上側面にスイッチ設置用に小さな凹部１５ａが１つ設けられている。２方向操作スイッチ１の取り付けは、凹部１５ａにスイッチ本体の下部を嵌め込み、左右の取り付け座３ｉを凹部１５ａを設けた上面に重ね合わせ、例えばビス止めにより左右の取り付け座３ｉを本体枠１５に締め付けて固定できる。
【００８０】
パチンコ機１３の本体枠１５に取り付けられた２方向操作スイッチ１は、図２２（Ａ）に示すように、パチンコ機１３の前扉枠１６と本体枠１５の両方が開放されているとき、本体枠１５の前面にプッシュ操作部４ｂが突出されると共に、本体枠１５の上側面にレバー操作部６ｃが起立状態で突出され、前扉枠１６の開閉に応じその前扉枠１６でプッシュ操作部４ｂに前方向から第１の操作力Ｆ１が加えられると共に、その加えられた第１の操作力Ｆ１が解除され、本体枠１５の開閉に応じ外枠１４でレバー操作部６ｃに後方向から第２の操作力Ｆ２が加えられると共に、その加えられた第２の操作力Ｆ２が解除されるようになっている。
【００８１】
従って、２方向操作スイッチ１は、図２２（Ｂ）に示すように、前扉枠１６と本体枠１５の両方が閉鎖されているときだけ、スイッチ部１０，１１ａ，１２ａがオフとなり、前扉枠１６と本体枠１５の一方又は図２２（Ａ）に示すように両方が開放されると、スイッチ部１０，１１ａ，１２ａがオフからオンに切り換わるため、スイッチ１個で前扉枠１６や本体枠１５の開放状態を検出できる。
【００８２】
以上、２方向操作スイッチ１は、スイッチ１個に２つの操作部４，６を備えると共に、スイッチ部１０，１１ａ，１２ａが１つに集約できてスイッチ１個を省スペースかつ安価に構成できるスライダ（プッシュ）４とレバー（回動）６を２つの操作部として備えることにより、パチンコ機１３の本体枠１５や前扉枠１６の開放状態の検出をスイッチ１個使いで実現できるので、省スペース化、スイッチ自体のコストダウン、スイッチ取り付けやリード線配線のコストダウンを図ることができる。また、スライダ（プッシュ）４とレバー（回動）６を２つの操作部として備えることにより、スライダ（プッシュ）４よりもレバー（回動）６の方の動作後の動き（ＯＴ）が大きく、外枠１４がレバー（回動）６を乗り越えることも可能となり、外枠１４とスイッチ１個との位置関係をラフに設定できるので、スイッチ取り付けも容易に行え、さらには、例えばパチンコ機１３の機種によって図２２（Ｂ）に示す外枠１４と前扉枠１６との位置関係（Ｌ）が多少変わっても使用することができる。
【００８３】
最後に、本発明の他の実施形態にかかる２方向操作スイッチ１ａについて、図２３を参照して説明する。図２３は、本発明の他の実施形態にかかる２方向操作スイッチ１ａの主要部分説明図である。
【００８４】
２方向操作スイッチ１は、作動部材８がその前方向の移動終端位置と後方向の移動終端位置のうち、前方向の移動終端位置にあるとき、一対の可動接点１０ｄ，１０ｅがそれぞれ接触し可動接片１０により導通され、スイッチ部１０，１１ａ，１２ａがオンとなり、後方向の移動終端位置にあるとき、一対の可動接点１０ｄ，１０ｅがそれぞれ離れて可動接片１０による導通が断たれ、スイッチ部１０，１１ａ，１２ａがオフとなるように、ボディ２の可動接点１０ｄ，１０ｅ摺動部に一対の固定接点１１ａ，１２ａが設けられており（図６（Ｂ）参照）、スライダ４とレバー６の一方又は両方が自由状態のとき、スイッチ部１０，１１ａ，１２ａがオンとなり、スライダ４とレバー６の両方が操作されたとき、スイッチ部１０，１１ａ，１２ａがオンからオフに切り換わるのに対し、図２３に示すように、２方向操作スイッチ１ａは、作動部材８がその前方向の移動終端位置と後方向の移動終端位置のうち、後方向の移動終端位置にあるとき、一対の可動接点１０ｄ，１０ｅがそれぞれ接触し可動接片１０により導通され、スイッチ部１０，１１ｃ，１２ｃがオンとなり、前方向の移動終端位置にあるとき、一対の可動接点１０ｄ，１０ｅがそれぞれ離れて可動接片１０による導通が断たれ、スイッチ部１０，１１ｃ，１２ｃがオフとなるように、ボディ２の可動接点１０ｄ，１０ｅ摺動部に一対の固定接点１１ｃ，１２ｃが設けられており、スライダ４とレバー６の一方又は両方が自由状態のとき、スイッチ部１０，１１ｃ，１２ｃがオフとなり、スライダ４とレバー６の両方が操作されたとき、スイッチ部１０，１１ｃ，１２ｃがオフからオンに切り換わる点で相違している。
【００８５】
すなわち、２方向操作スイッチ１ａでは、２方向操作スイッチ１のオンがオフに、またオフがオンになる以外は、２方向操作スイッチ１と同じ構造，機能，作用効果を有するものである。
【００８６】
具体的には、図２３に示すように、２方向操作スイッチ１ａでは、作動部材８及び可動接片１０が後方向の動作限界位置に移動したときに、一対の可動接点１０ｄ，１０ｅが上に移動して押し付けられて接触する位置に本実施形態の一対の固定接点１１ｃ，１２ｃが設けられている。
【００８７】
以上、本実施形態は２方向操作スイッチ１，１ａで本発明を説明したが、本発明はそれに限定されることなく、その要旨を逸脱しない範囲内で種々変形実施することができる。また、本発明はパチンコ機の外枠に対する本体枠の開放状態や本体枠に対する前扉枠の開放状態を検出以外にも、各種機器のメカニズムなどの動作検出などにも用いることができる。
【符号の説明】
【００８８】
１，１ａ  ２方向操作スイッチ
２  ボディ
２ａ  第１の収納部
２ｂ  第２の収納部
２ｇ  支軸
４  スライダ
４ｂ  プッシュ操作部
４ｃ  第１の駆動カム部
５  スライダ復帰バネ
６  レバー
７  レバー復帰バネ
８  作動部材
８ｃ  第１の当接部
８ｄ  第２の当接部
９  作動部材復帰バネ
１０  可動接点
１０ｄ，１０ｅ  可動接点
１１ａ，１２ａ  固定接点
１１ｃ，１２ｃ  他の固定接点
Ａ  作動部材復帰バネの付勢力
Ｂ  スライダ復帰バネの付勢力
Ｃ  レバー復帰バネの付勢力
Ｆ１  第１の操作力
Ｆ２  第２の操作力
ａ  第１の方向
ｂ  第２の方向
【図１】
0005712021.tif 000002
【図２】
0005712021.tif 000003
【図３】
0005712021.tif 000004
【図４】
0005712021.tif 000005
【図５】
0005712021.tif 000006
【図６】
0005712021.tif 000007
【図７】
0005712021.tif 000008
【図８】
0005712021.tif 000009
【図９】
0005712021.tif 000010
【図１０】
0005712021.tif 000011
【図１１】
0005712021.tif 000012
【図１２】
0005712021.tif 000013
【図１３】
0005712021.tif 000014
【図１４】
0005712021.tif 000015
【図１５】
0005712021.tif 000016
【図１６】
0005712021.tif 000017
【図１７】
0005712021.tif 000018
【図１８】
0005712021.tif 000019
【図１９】
0005712021.tif 000020
【図２０】
0005712021.tif 000021
【図２１】
0005712021.tif 000022
【図２２】
0005712021.tif 000023
【図２３】
0005712021.tif 000024